(57)【特許請求の範囲】
【請求項１】
一側部に挿入口を有する外ケースと、
前記外ケースに対して前記挿入口を介して出し入れされる内ケースとの組み合わせからなり、
前記外ケースと前記内ケースとがいずれも紙材を折り畳んで成形されてなる収納ケースであって、
前記内ケースは、相対移動自在に重なり合う複数段の収納物保持体からなる
ことを特徴とする収納ケース。
【請求項２】
前記収納物保持体は、複数段のものがいずれも前記外ケースに対して出し入れされるのに略同一の方向に往復移動される
ことを特徴とする請求の範囲１に記載の収納ケース。
【請求項３】
前記収納物保持体に対する収納物の位置ずれを規制する規制部が前記収納物保持体に設けられている
ことを特徴とする請求の範囲１に記載の収納ケース。
【請求項４】
前記外ケースは、前記収納物保持体のすべてが収納物を保持して相互に重なり合って収納され得る内容積を有する箱体からなる
ことを特徴とする請求の範囲１に記載の収納ケース。
【請求項５】
前記収納物保持体が相互に重なり合う部分に、前記収納物保持体相互の分離を防ぐように引っかかり合わされる係止部が設けられている
ことを特徴とする請求の範囲１に記載の収納ケース。
【請求項６】
前記外ケースと前記収納物保持体とが重なり合う部分に、前記外ケースと前記収納物保持体との分離を防ぐように引っかかり合わされる係止部が設けられている
ことを特徴とする請求の範囲１に記載の収納ケース。
【請求項７】
すべての前記収納物保持体が前記外ケース内に納められた状態で、前記挿入口を閉鎖する蓋部が前記収納物保持体に設けられている
ことを特徴とする請求の範囲１に記載の収納ケース。
【請求項８】
前記蓋部は、最下段の収納物保持体に設けられ、上段側の収納物保持体を包むように折り曲げられて先端部が前記挿入口に差し込まれる
ことを特徴とする請求の範囲７に記載の収納ケース。
【請求項９】
すべての前記収納物保持体が前記外ケース内に納められた状態で、前記挿入口を閉鎖する蓋部が前記外ケースに設けられている
ことを特徴とする請求の範囲１に記載の収納ケース。
【請求項１０】
前記複数段の収納物保持体は入れ子状に重なり合う
ことを特徴とする請求の範囲１に記載の収納ケース。
【請求項１１】
外側の収納物保持体と、これに入れ込まれる内側の収納物保持体との間には、前記内側の収納物保持体に保持される収納物の厚さよりも大きい間隙が確保される
ことを特徴とする請求の範囲１０に記載の収納ケース。
【請求項１２】
前記収納物保持体が前記外ケース内に納められた状態で、前記挿入口に臨む前記収納物保持体の縁部にタブが設けられている
ことを特徴とする請求の範囲１に記載の収納ケース。
【発明の詳細な説明】
【技術分野】  本発明は、外ケースと、この外ケースに対して出し入れされる内ケースとの組み合わせからなる収納ケースに関する。詳しくは、内ケースを相対移動自在に重なり合う複数段の収納物保持体から構成することで、各収納物保持体に保持される個々の収納物の選択的取り出しを容易にした収納ケースに関する。
【背景技術】  従来より、環境保全やコスト低減などのため、紙材を折り畳んで成形した収納ケースがある。このような収納ケースにおいては１つの収納空間しか持たないものが主流であり、例えば複数枚のディスク状記録媒体を重ねて収納すると、相互の擦れにより記録部あるいは印刷面に損傷を生じさせるおそれがある。そこで、例えば、特許文献１（特開２００３−８１２５２号公報）に開示される収納ケースでは、収納空間を、区画板で複数区画に区分し、各区画に収納された収納物と収納物との間に区画板が介在されることで収納物が互いに接触しないようにしている。しかし、上記特許文献１では、すべての収納物が互いに重なった状態で外ケースに対して出し入れされる構造となっているため、内ケースを外ケースから引き出しただけでは個々の収納物を一覧できない。したがって、使用者は複数の収納物の中から要求するものを一目で認識できない。また、区画板の下に重なっている収納物は取り出しにくい。本発明は上述の問題に鑑みてなされ、複数の収納物相互の接触を回避しつつ、使用者の使い勝手を高めた収納ケースを提供することを目的とする。
【発明の開示】
以上の課題を解決するにあたり、本発明の収納ケースは、一側部に挿入口を有する外ケースと、この外ケースに対して挿入口を介して出し入れされる内ケースとの組み合わせからなり、内ケースは、相対移動自在に重なり合う複数段の収納物保持体からなることを特徴としている。収納物保持体は複数段のものいずれも外ケース内に納めることができる。外ケースは複数段の収納物保持体をまとめて納めて持ち運ぶことができる形状であればよく、例えばトレー状であってもよいが、収納物保持体に保持された収納物を塵埃や日光などから保護する観点からは、収納物保持体の全体を包み込むような形状が好ましい。例えば、収納物保持体のすべてが収納物を保持して相互に重なり合って収納され得る内容積を有する箱体が好ましい。収納物は収納物保持体に保持され、収納物保持体と共に外ケースに対して出し入れされると共に、他の収納物保持体に対して相対移動される。上記出し入れ、あるいは相対移動の際に、収納物が収納物保持体から脱落してしまわないように収納物保持体に、収納物の位置ずれを規制して収納物の安定した保持を維持できる規制部を設けることが好ましい。収納物保持体での収納物の位置ずれが規制できると、収納物保持体に対する収納物の擦れも防げる。複数段からなる収納物保持体は相対移動自在に重なり合う。すなわち、収納物保持体を互いに重ね合わせたり、あるいは重なり合う部分を小さくした展開を自在に行える。収納物保持体を外ケースから引き出して展開すれば、収納物どうしが重なり合う面積を小さくできる。これにより、個々の収納物を一覧でき、使用者は複数の収納物の中から要求するものを一目で認識できる。また、下段に位置する収納物であっても上段の収納物保持体及びこれに保持された収納物が障害にならずに容易に取り出すことができる。収納物保持体を互いに重ね合わせれば、展開した状態に比べて平面寸法を小さくできる。この状態で収納物保持体を外ケース内に納めれば収納ケース全体の平面寸法を小さくできる。これにより、保管スペースを小さくでき、また持ち運びに際してもコンパクトになり取り扱いやすくなる。また、従来、外ケースと内ケースとの組み合わせからなる収納ケースにおける動作は、外ケースに対して１つの内ケースが出し入れされるという動作のみであった。これに対して本発明は、内ケースを構成する複数段の収納物保持体どうしも相対移動されるという意外性とおもしろさがあり、使用者に興味を引き起こさせる。外ケースと内ケースはいずれも紙材を折り畳んで成形されてなる。紙材は、主材が紙であることを要旨とし、植物繊維やその他の繊維から製造されるものに限らず、例えば、針葉樹又は広葉樹から製造される機械パルプや化学パルプ、新聞紙や古紙などをリサイクルして得られる古紙パルプを１種類以上配合して製造されるものはもちろん、合成高分子物質を用いて製造した合成紙であってもよい。また、段ボール、一方又は両方の表面が不織布となっているもの、一方又は両方の表面に静電気防止剤が塗布されているもの、一方又は両方の表面に熱可塑性樹脂層がラミネートされているものであってもよい。また、収納物保持体は、複数段のものがいずれも外ケースに対して出し入れされるのに略同一の方向に往復移動されるようにすれば、外ケースに対して個別に各収納物保持体を出し入れ可能となる。これにより、すべての収納物保持体を外ケースから引き出して展開しなくても済み、収納物保持体を外ケース外に引き出すための必要スペースを小さくできる。また、収納物保持体の相対移動に際して、両者の重なりが小さくなる方向に相対移動を続けていくと両者が分離してしまい落下や紛失のおそれがある。そこで、収納物保持体が相互に重なり合う部分に、両者の分離方向への相対移動を規制するように引っかかり合う係止部を設ければ、収納物保持体相互の分離を防げる。また、上記係止部が引っかかり合うことで、ある収納物保持体の引き出し動作に伴って他の収納物保持体も引き出すことができる牽引作用も得られる。外ケースと収納物保持体とが重なり合う部分にも、両者の分離を防ぐように引っかかり合う係止部を設けてもよい。また、すべての収納物保持体が外ケース内に納められた状態で、外ケースの挿入口を閉鎖する蓋部を、収納物保持体あるいは外ケースに設ければ、挿入口からの収納物の飛び出し、挿入口からの塵埃や水分の侵入を防げる。蓋部を別体で具備させる場合に比べ部品点数を少なくでき、また紛失も防げる。特に、上記蓋部を外ケースにではなく収納物保持体に設けた場合には、外ケースに対する収納物保持体の出し入れ動作と同時に蓋部の開閉動作を行え、使い勝手がよい。さらに、その蓋部を最下段の収納物保持体に設け、上段側の収納物保持体を包むように折り曲げて蓋部の先端部を挿入口に差し込めば、すべての収納物保持体を外ケースの外部から遮蔽することができる。また、収納物保持体が外ケースから引き出される際には、蓋部は最下段で展開されるので他の収納物保持体を覆い隠してしまうことがない。複数段の収納物保持体は、小さなものが順に大きなものに納まるように入れ子状に重なり合うようにすれば、収納物保持体を例えばトレー状にしたものより収納物保持体相互の接触部分を多く確保でき、所望の方向への相対移動を確実に行わせるガイド作用が得られる。特に、外側の収納物保持体と、これに入れ込まれる内側の収納物保持体との間に、内側の収納物保持体に保持される収納物の厚さよりも大きい間隙が確保されるようにすれば、内側の収納物保持体に保持された収納物に対して外側の収納物保持体から圧迫力が作用せず収納物の破損や変形を防げる。また、これら収納物保持体相互の相対移動に際して、外側の収納物保持体との擦れを防げ、収納物に傷が付くことを防げる。また、収納物保持体が外ケース内に納められた状態で、挿入口に臨む収納物保持体の縁部にタブを設けた場合には、そのタブを、収納物保持体の引き出しを容易にするためのつまみとして機能させることができる。更に、タブに収納物の内容を表示させれば収納物を識別するためのラベルとして機能させることもできる。本発明の収納ケースによれば、内ケースを相対移動自在に重なり合う複数段の収納物保持体から構成しているので、重なっている収納物保持体をずらすことができ、各収納物保持体に保持された個々の収納物を一覧できる。また、下段に位置する収納物であっても上段の収納物保持体及びこれに保持された収納物が障害にならずに容易に取り出すことができる。この結果、使用者の利便性を向上できる。
【図面の簡単な説明】  第１図は、本発明の実施形態に係る収納ケースにおいて、全ての収納物保持体の収納物保待領域が外部に露出された状態の斜視図である。第２図は、同収納ケースにおいて、最上段の収納物保持体の収納物保持領域のみが外部に露出された状態の斜視図である。第３図は、同収納ケースにおいて、全ての収納物保持体が外ケース内に納められた状態の平面図である。第４図は、第３図の反対面の平面図である。第５図は、同収納ケースを構成する外ケースのブランクの平面図である。第６図は、第５図に示す外ケースブランクの組立途中の斜視図である。第７図は、最上段の収納物保持体のブランクの平面図である。第８図は、第７図に示すブランクの組立途中の斜視図である。第９図は、最上段の収納物保持体の斜視図である。第１０図は、中間段の収納物保持体のブランクの平面図である。第１１図は、中間段の収納物保持体の斜視図である。第１２図は、最下段の収納物保持体のブランクの平面図である。第１３図は、最下段の収納物保持体の平面図である。第１４図は、収納物保持体の変形例を示す斜視図である。第１５図は、外ケースの変形例を示す斜視図である。第１６図は、収納物保持体に設けられる規制部の変形例を示す断面図である。
【符号の説明】
１          収納ケース
２          内ケース
２ａ、２ｂ、２ｃ  収納物保持体
３          外ケース
４          挿入口
５          外ケースブランク
１０        係止部
２０        収納物
２６、２７  開口
３１        内ケースブランク
３２        パネル部
３３        パネル部
３４        パネル部
３５        係止部
３６        係止部（規制部）
４０        タブ
６１        内ケースブランク
６２        パネル部
６３        パネル部
６４        パネル部
６５        パネル部
６６        係止部
７０        タブ
７１        係止部（規制部）
８１        内ケースブランク
８２        パネル部
８３        パネル部
８４        蓋部
８５        タブ
８６        係止部（規制部）
８７        蓋部
９４        収納物保持体
９５        収納物保持体
【発明を実施するための最良の形態】  以下、本発明の実施形態について図面を参照して説明する。なお、以下の実施形態では、ディスク状記録媒体を収納物の一例として挙げて説明する。第３図は本発明の実施形態に係る収納ケース１の外観平面図を示し、第４図はその裏面図を示す。第１図は同収納ケース１において外ケース３から収納物保持体２ａ、２ｂ、２ｃが引き出された状態を示す斜視図である。内ケース２は、複数段の収納物保持体２ａ、２ｂ、２ｃから構成される。第２図は収納物保持体２ａに対して収納物保持体２ｂ、２ｃが重ね合わされ、収納物保持体２ａの収納物保持領域のみが外ケース３の外部に露出された状態を示す。収納物保持体２ａ、２ｂ、２ｃ、及び外ケース３は、それぞれ所定の形状に打ち抜かれた紙材からなるブランクを、折り畳んだり、必要箇所を接着あるいはスリットに差込片を係合させるなどして得られる。先ず、外ケース３について説明する。外ケース３は、第５図に示す形状に紙材を打ち抜いて得られるブランク５（以下、外ケースブランクともいう）から組み立てられる。外ケースブランク５は、主として、上面パネル部６と、底面パネル部７と、２つの側面パネル部８ａ、８ｂと、背板パネル部９と、係止部１０とから構成される。上面パネル部６、底面パネル部７、側面パネル部８ａ、８ｂ、背板パネル部９は矩形状を呈し、係止部１０は略台形状を呈している。２つの側面パネル部８ａ、８ｂは、上面パネル部６の平行に対向する２辺にそれぞれ連接されている。上面パネル６部の残りの２辺のうち一方の辺に背板パネル部９が連接され、更に背板パネル部９には底面パネル部７が連接されている。上面パネル部６において、背板パネル部９と対向する側には係止部１０が連接されている。各々の側面パネル部８ａ、８ｂには、折込フラップ１１ａ、１１ｂと、のりしろ１２ａ、１２ｂが連接されている。折込フラップ１１ａ、１１ｂは、外ケースブランク５が組み立てられた際に、背板パネル部９に重ね合わされる。のりしろ１２ａ、１２ｂは、外ケースブランク５が組み立てられた際に、底面パネル部７に接着される。図において、一点鎖線は谷折りされる罫線を示し、外ケースブランク５は第６図に示すように、各罫線に沿って谷折りされる。ここで、罫線とは、紙材の折り曲げを容易にするために、例えば木材や金属などからなる押し刃を紙材に押し付けて形成される溝である。なお、外ケースブランク５には示されていないが、二点鎖線は山折りされる罫線を示し、以下の説明中、これら線種の区別は共通して用いる。底面パネル部７の端縁には切欠き１３が形成されている。また、上面パネル部６と係止部１０との境界には円形孔１４が形成されている。切欠き１３と円形孔１４は、外ケースブランク５が組み立てられた際に互いに向き合わされ、内ケース２ａ〜２ｃを外ケース３から引き出すための指掛部として機能する。なお、のりしろ１２ａに切欠き１５を形成しているのは、のりしろ１２ａが底面パネル部７に接着される際に、底面パネル７部に形成された切欠き１３にのりしろ１２ａの一部がかからないようにするためである。外ケースブランク５の各罫線を第６図に示すようにして折り曲げられ、更にのりしろ１２ａ、１２ｂを底面パネル部７に接���させ、折込フラップ１１ａ、１１ｂを背板パネル９に重ね合わせることによって、一側部に細長い挿入口４が形成された扁平箱体からなる外ケース３が得られる（第３図、第４図参照）。なお、この組み立てに際しては接着に限らず、例えばスリットに差込片を係合させるなどによって必要箇所を止めるようにしてもよい。係止部１０は、上面パネル部６との境界の罫線に沿って上面パネル部６側に折り返されただけで、上面パネル部６に対して接着されていない。次に、収納物保持体２ａについて説明する。収納物保持体２ａは、第７図に示す形状に紙材を打ち抜いて得られるブランク３１（以下、内ケースブランクともいう）から組み立てられる。内ケースブランク３１は、主として、第１〜第３パネル部３２、３３、３４と、係止部３５とから構成される。第１パネル部３２は、円弧状の外縁を有する部分と直線状の外縁を有する部分との組み合わせからなる。円弧状の外縁を有する部分は収納物保持領域として機能し、その面積は、例えば直径１２０ｍｍのディスク状記録媒体の面積とほぼ同じか、あるいはそれよりわずかに大きい。円弧状の外縁の一部分には、収納物保持領域の外に突出するようにしてタブ４０が形成されている。また、円弧状の外縁と、直線状の外縁との間には、収納物保持領域の外に突出するようにして略台形状の係止部３６が形成されている。係止部３６は、相対向する２つの直線状外縁間を２分する線に関して線対称な関係の２箇所に形成されている。各係止部３６と第１パネル部３２との境界には罫線５６が形成されている。罫線５６は、直線状の外縁から外側に向くように傾斜しており、直線状の外縁と円弧状の外縁との間をつなげている。第１パネル部３２は、帯板部４１を介して第２パネル部３３と連接されている。第１パネル部３２と帯板部４１との境界には罫線４８が形成され、帯板部４１と第２パネル部３３との境界には罫線４９が形成されている。罫線４８の中央部にはスリット４６が形成されている。そのスリット４６によって第１パネル部３２と分離された台形状の差込片４１ａが、第１パネル部３２側に突出して帯板部４１に形成されている。第２パネル部３３は、第１パネル部３２よりも大きい面積を有する略矩形状を呈する。第２パネル部３３において、第１パネル部３２が連接された反対側の端縁に略矩形状の切欠き３７が形成されている。第２パネル部３３は、帯板部４２を介して第３パネル部３４と連接されている。第２パネル部３３と帯板部４２との境界には罫線５０が形成され、帯板部４２と第３パネル部３４との境界には罫線５１が形成されている。第３パネル部３４は、第２パネル部３３とほぼ同じ面積を有する略矩形状を呈する。第３パネル部３４において、第２パネル部３３が連接された反対側の端縁には帯板部４４を介してのりしろ４５が連接されている。第３パネル部３４と帯板部４４との境界には罫線５２が形成され、帯板部４４とのりしろ４５との境界には罫線５３が形成されている。第２パネル部３３に形成された罫線４９と同一直線上にある罫線５４が形成された第３パネル部３４の端縁には、罫線５４を挟んで帯板部４３が連接されている。罫線５４の中央部にはスリット４７が形成されている。そのスリット４７によって第３パ���ル部３４と分離された台形状の差込片４３ａが、第３パネル部３４側に突出して帯板部４３に形成されている。第３パネル部３４において、帯板部４３が連接された反対側の端縁には略台形状の係止部３５が連接されている。第３パネル部３４と係止部３５との境界には罫線５５が形成されている。収納物保持体２ａは、上記内ケースブランク３１から以下のようにして組み立てられる。第７図の展開状態から、係止部３５が罫線５５に沿って第３パネル部３４側に折り返されて、係止部３５内面（図示される面）が、第３パネル部３４内面（図示される面）に向き合わされる。係止部３５は第３パネル部３４内面に対して接着されない。帯板部４３は、罫線５４に沿って第３パネル部３４内面側に立てられるようにして折り曲げられる。帯板部４４も、罫線５２に沿って第３パネル部３４内面側に立てられるようにして折り曲げられる。更に、帯板部４４に連接されたのりしろ４５は、第３パネル部３４内面に向き合うように罫線５３に沿って折り曲げられる。上記状態から、帯板部４２が罫線５０に沿って第２パネル部３３内面側に立てられるようにして折り曲げられ、更に第３パネル部３４は、その内面が第２パネル部３３内面（図示される面）に向き合わされるように罫線５１に沿って折り曲げられる。以上の状態を第８図に示す。のりしろ４５は、第２パネル部３３内面に接着される。あるいは、接着に限らず、例えばスリットに差込片を係合させるなどによって必要箇所を止めるようにしてもよい。また、係止部３６は、罫線５６に沿って、第８図に示される第１パネル部３２の反対面側に折り返される。そして、帯板部４１が、帯板部４３に重ね合わされるように罫線４９に沿って折り曲げられる。更に第１パネル部３２は、その内面（第８図に示される面）が、第３パネル部３４外面（第８図に示される面）に重ね合わされるように、罫線４８に沿って折り曲げられる。第１パネル部３２が第３パネル部３４に重ね合わされる際に、第８図において紙面手前側に突出する差込片４３ａが、スリット４６に差し込まれる。これにより、第９図に示すように、差込片４３ａの先端部がスリット４６から第１パネル部３２外面上に突出する。第１パネル部３２が上記差込片４３ａに係合することで、第１パネル部３２の第３パネル部３４からの浮き上がりを抑制して、両者の重なり合った状態を安定し保持する。なお、第１パネル部３２と第３パネル部３４とは互いに接着されない。以上のようにして、第９図に示すように、一側端部に細長い開口２６が形成された扁平箱体からなる収納物保持体２ａが得られる。両帯板部４２、４４はこの収納物保持体２ａの左右の側壁として機能し、互いに重ね合わされた帯板部４１、４３は収納物保持体２ａの底壁として機能する。タブ４０は、収納物保持体２ａの外部に向けて開口２６よりも突出している。次に、収納物保持体２ｂについて説明する。収納物保持体２ｂは、第１０図に示す形状に紙材を打ち抜いて得られるブランク６１（以下、内ケースブランクともいう）から組み立てられる。内ケースブランク６１は、主として、第１〜第４パネル部６２、６３、６４、６５と、係止部６６とから構成される。第１パネル部６２は、円弧状の外縁を有する部分と直線状の外縁���有する部分との組み合わせからなる。円弧状の外縁を有する部分は収納物保持領域として機能し、その面積は、例えば直径１２０ｍｍのディスク状記録媒体の面積とほぼ同じか、あるいはそれよりわずかに大きい。円弧状の外縁の一部分には、収納物保持領域の外に突出するようにしてタブ７０が形成されている。また、円弧状の外縁と、直線状の外縁との間には、収納物保持領域の外に突出するようにして略台形状の係止部７１が形成されている。係止部７１は、相対向する２つの直線状外縁間を２分する線に関して線対称な関係の２箇所に形成されている。各係止部７１と第１パネル部６２との境界には罫線７８が形成されている。罫線７８は、直線状の外縁から外側に向くように傾斜して、直線状の外縁と円弧状の外縁との間をつなげている。第１パネル部６２は、罫線７２を介して第２パネル部６３と連接されている。罫線７２は、第２パネル部６３の端縁よりも少し内側に入り込んだ位置に形成され、第１パネル部６２が罫線７２に沿って折り曲げられ第２パネル部６３に重ね合わされると、第１１図に示すように、第２パネル部６３の端縁に凹状のくぼみが形成される。第２パネル部６３は、第１パネル部６２よりも大きい面積を有する略矩形状を呈する。第２パネル部６３において、第１パネル部６２が連接された反対側の端縁に略台形状の係止部６６が連接されている。第２パネル部６３と係止部６６との境界には罫線７３が形成されている。第２パネル部６３は、それぞれ、帯板部６７、６８を介して、第３パネル部６４、第４パネル部６５と連接されている。第２パネル部６３と帯板部６７との境界には罫線７７が形成され、帯板部６７と第３パネル部６４との境界には罫線７６が形成され、第２パネル部６３と帯板部６８との境界には罫線７４が形成され、帯板部６８と第４パネル部６５との境界には罫線７５が形成されている。第３、第４パネル部６４、６５は、それぞれ、第２パネル部６３よりも小さい面積の略矩形状を呈する。第２パネル部６３の罫線７３と同一直線上にある第４パネル部６５の端縁には、略矩形状の切欠き６９が形成されている。収納物保持体２ｂは、上記内ケースブランク６１から以下のようにして組み立てられる。第１０図の展開状態から、係止部６６が罫線７３に沿って第２パネル部６３の内面（図示される面の反対面）側に折り返されて、その係止部６６内面（図示される面の反対面）が、第２パネル部６３内面に向き合わされる。係止部６６は第２パネル部６３内面に対して接着されない。帯板部６７は、罫線７７に沿って第２パネル部６３内面側（紙面裏側）に立てられるようにして折り曲げられる。更に、帯板部６７に連接された第３パネル部６４は、第２パネル部６３内面に向き合うように罫線７６に沿って折り曲げられる。帯板部６８は、罫線７４に沿って第２パネル部６３内面側（紙面裏側）に立てられるようにして折り曲げられる。更に、帯板部６８に連接された第４パネル部６５は、第２パネル部６３内面に向き合うように罫線７５に沿って折り曲げられる。第３、第４パネル部６４、６５は、互いに接着される。あるいは、接着に限らず、例えばスリットに差込片を係合させるなどによって両者を止めるようにしてもよい。係止部７１は、罫線７８に沿���て、第１０図に示される第１パネル部６２の反対面側に折り返される。そして、第１パネル部６２は、その内面（第１０図に示される面）が、第２パネル部６３外面（第１０図に示される面）に重ね合わされるように、罫線７２に沿って折り曲げられる。第１パネル部６２と第２パネル部６３との境界の罫線７２は、第２パネル部６３の端縁よりも少し内側に入り込んだ位置に形成されている。第１パネル部６２が罫線７２に沿って折り曲げられ第２パネル部６３に重ね合わされると、第１１図に示すように、第２パネル部６３の端縁に凹状のくぼみが形成される。このように、罫線７２を第２パネル部６３の端縁からずらすことで、罫線７２を第２パネル部６３の端縁に一致させた場合に比べ、罫線７２に沿って形成される折曲部の長さを短くすることができる。この結果、その折曲部で生じる反発力による第１パネル部６２の第２パネル部６３からの浮き上がりを抑制して、両者の重なり合った状態を安定し保持する。なお、第１パネル部６２と第２パネル部６３とは互いに接着されない。以上のようにして、第１１図に示すように、一側端部に細長い開口２７が形成された扁平箱体からなる収納物保持体２ｂが得られる。両帯板部６７、６８はこの収納物保持体２ｂの左右の側壁として機能する。この収納物保持体２ｂにおいては、開口２７が形成された側端部に対向する側端部も開口されている。タブ７０は、収納物保持体２ｂの外部に向けて開口２７よりも突出している。次に、収納物保持体２ｃについて説明する。収納物保持体２ｃは、第１２図に示す形状に紙材を打ち抜いて得られるブランク８１（以下、内ケースブランクともいう）から組み立てられる。内ケースブランク８１は、主として、第１、第２パネル部８２、８３と、蓋部８７、８４とから構成される。第１パネル部８２は、円弧状の外縁を有する部分と直線状の外縁を有する部分との組み合わせからなる。円弧状の外縁を有する部分は収納物保持領域として機能し、その面積は、例えば直径１２０ｍｍのディスク状記録媒体の面積とほぼ同じか、あるいはそれよりわずかに大きい。円弧状の外縁の一部分には、収納物保持領域の外に突出するようにしてタブ８５が形成されている。また、円弧状の外縁と、直線状の外縁との間には、収納物保持領域の外に突出するようにして略台形状の係止部８６が形成されている。係止部８６は、相対向する２つの直線状外縁間を２分する線に関して線対称な関係の２箇所に形成されている。各係止部８６と第１パネル部８２との境界には罫線９２が形成されている。罫線９２は、直線状の外縁から外側に向くように傾斜して、直線状の外縁と円弧状の外縁との間をつなげている。第１パネル部８２は、罫線９１を介して第２パネル部８３と連接されている。罫線９１は、第２パネル部８３の端縁よりも少し内側に入り込んだ位置に形成されている。第１パネル部８２が罫線９１に沿って折り曲げられ第２パネル部８３に重ね合わされると、第１３図に示すように、第２パネル部８３の端縁に凹状のくぼみが形成される。第２パネル部８３は、第１パネル部８２よりも大きい面積を有する略矩形状を呈する。第２パネル部８３において、第１パネル部８２が連接された反対側の端縁には、帯板状の蓋部８７を介して蓋���８４が連接されている。蓋部８４は第２パネル部８３よりも小さい面積の略矩形状を呈する。第２パネル部８３と蓋部８７との境界には罫線９０が形成され、蓋部８７と蓋部８４との境界には罫線８９が形成されている。第２パネル部８３において、蓋部８７寄りの箇所には、指掛片３９が形成されている。指掛片３９は楕円状の切込みによってその一部でのみ第２パネル部８３と接続している。収納物保持体２ｃは、上記内ケースブランク８１から以下のようにして組み立てられる。第１２図の展開状態から、係止部８６は、罫線９２に沿って、第１２図に示される第１パネル部８２の反対面側に折り返される。そして、第１パネル部８２は、その内面（第１２図に示される面）が、第２パネル部８３内面（第１２図に示される面）に重ね合わされるように、罫線９１に沿って折り曲げられる。第１パネル部８２と第２パネル部８３との境界の罫線９１は、第２パネル部８３の端縁よりも少し内側に入り込んだ位置に形成されている。第１パネル部８２が罫線９１に沿って折り曲げられ第２パネル部８３に重ね合わされると、第１３図に示すように、第２パネル部８３の端縁に凹状のくぼみが形成される。このように、罫線９１を第２パネル部８３の端縁からずらすことで、罫線９１を第２パネル部８３の端縁に一致させた場合に比べ、罫線９１に沿って形成される折曲部の長さを短くすることができる。この結果、その折曲部で生じる反発力による第１パネル部８２の第２パネル部８３からの浮き上がりを抑制して、両者の重なり合った状態を安定し保持する。なお、第１パネル部８２と第２パネル部８３とは互いに接着されない。以上のようにして、第１３図に示す収納物保持体２ｃが得られる。タブ８５は、罫線９０にかからないように、第２パネル部８３の内面上に位置される。以上のように構成される各収納物保持体２ａ〜２ｃは以下のようにして入れ子状に相互に組み合わされる。収納物保持体２ａ内には、その開口２６を介して収納物保持体２ｂが挿入され、両収納物保持体２ａ、２ｂは重ね合わされる。収納物保持体２ｂは、開口２６を介して、収納物保持体２ａの内外に出し入れされる方向に移動自在となっている。収納物保持体２ａにおいて、収納物保持体２ｂの第１パネル部６２に対する対向部である第３パネル部３４内面には、係止部３５が収納物保持体２ａ内方に向けて折り返されている。収納物保持体２ｂにおいて、収納物保持体２ａの第３パネル部３４に対する対向部である第１パネル部６２には係止部７１が、上記係止部３５とは反対方向に折り返されて形成されている。収納物保持体２ｂが、収納物保持体２ａから引き出される方向に移動されると、第１図において破線で示すように、上記係止部３５、７１が互いに引っかかり合うようにして係合する。収納物保持体２ｂの帯板部６８、６７は、それぞれ収納物保持体２ａの帯板部４２、４４に対向される。収納物保持体２ｂの第３、第４パネル部６４、６５は、収納物保持体２ａの第２パネル部３３に対向される。収納物保持体２ｂのタブ７０の突出方向は収納物保持体２ａのタブ４０の突出方向と一致する。すなわち、収納物保持体２ｂが収納物保持体２ａから引き出される方向に突出している。収納物保持体２ｂ内には、その開口２７���介して収納物保持体２ｃが挿入され、両収納物保持体２ｂ、２ｃは重ね合わされる。収納物保持体２ｃは、開口２７を介して、収納物保持体２ｂの内外に出し入れされる方向に移動自在となっている。収納物保持体２ｂにおいて、収納物保持体２ｃの第１パネル部８２に対する対向部である第２パネル部６３内面には、係止部６６が収納物保持体２ｂ内方に向けて折り返されている。収納物保持体２ｃにおいて、収納物保持体２ｂの第２パネル部６３に対する対向部である第１パネル部８２には係止部８６が、上記係止部６６とは反対方向に折り返されて形成されている。収納物保持体２ｃが、収納物保持体２ｂから引き出される方向に移動されると、第１図において破線で示すように、上記係止部６６、８６が互いに引っかかり合うようにして係合する。収納物保持体２ｃの第２パネル部８３は、収納物保持体２ｂの第３、第４パネル部６４、６５に対向される。収納物保持体２ｃのタブ８５の突出方向は収納物保持体２ｂのタブ７０の突出方向と一致する。すなわち、収納物保持体２ｃが収納物保持体２ｂから引き出される方向に突出している。外ケース３内には、その挿入口４を介して収納物保持体２ａ〜２ｃが挿入される。外ケース３に接触して外ケース３に対して直接摺動されるのは最も外側の収納物保持体２ａである。この収納物保持体２ａ内には収納物保持体２ｂが収納物保持体２ａに対して摺動自在に収納され、この収納物保持体２ｂ内には収納物保持体２ｃが収納物保持体２ｂに対して摺動自在に収納されている。結果として、すべての収納物保持体２ａ〜２ｃが、挿入口４を介して外ケース３の内外に出し入れされる方向に移動自在となっている。外ケース３において、収納物保持体２ａの第１パネル部３２に対する対向部である上面パネル部６内面には、係止部１０が収納物保持体２ａの挿入方向に折り返されて形成されている。収納物保持体２ａにおいて、外ケース３の上面パネル部６に対する対向部である第１パネル部３２には係止部３６が、上記係止部１０とは反対方向の収納物保持体２ａの引き出し方向に折り返されて形成されている。収納物保持体２ａが、外ケース３から引き出される方向に移動されると、第１図において破線で示すように、上記係止部１０、３６が互いに引っかかり合うようにして係合する。収納物保持体２ａの帯板部４２、４４は、それぞれ外ケース３の側面パネル部８ａ、８ｂに対向される。収納物保持体２ａの第２パネル部３３は、外ケース３の底面パネル部７に対向される。収納物保持体２ａのタブ４０は、外ケース３から収納物保持体２ａが引き出される方向に突出している。次に、収納物保持体における収納物の保持について、説明する。収納物は、各収納物保持体２ａ〜２ｃの第１パネル部３２、６２、８２に保持される。例えば、第２図には、収納物としてディスク状記録媒体２０（１点鎖線で示す）が、収納物保持体２ａの第１パネル部３２に保持された状態を示す。ディスク状記録媒体２０は、例えばその記録面を第１パネル部３２に接触させ、印刷面（ラベル面）を表にしている。更にディスク状記録媒体２０はその円弧状の外縁の一部を、係止部３６が折り返されることで形成された谷折部に当接させている。その谷折部は、ディスク状記録媒体２０���、外ケース３背板パネル９への移動及び側面パネル部８ａ、８ｂ側への移動を規制するように傾斜している。これにより、ディスク状記録媒体２０は、外ケース３から引き出される方向以外の方向への動きが規制され、また、係止部３６によって第１パネル部３２上から浮き上がる方向の動きも規制されて、第１パネル部３２上に安定して保持される。この結果、ディスク状記録媒体２０の記録面と第１パネル部３２との擦れを抑制し、その記録面に傷が付くことを防げる。したがって、係止部３６は、第１パネル部３２上でのディスク状記録媒体２０の位置ずれを規制する規制部として機能する。他の収納物保持体２ｂ、２ｃの第１パネル部６２、８２についても同様なことが言える。また、各収納物保持体２ａ、２ｂ、２ｃの第１パネル部３２、６２、８２それぞれに保持された収納物は相互に接触せずに保持され、他の収納物との接触を避けることができ、収納物相互の擦れで収納物に傷が付くことも防げる。各収納物保持体２ａ、２ｂ、２ｃの第１パネル部３２、６２、８２と、係止部３６、７１、８６との間の境界に形成された罫線５６、７８、９２の幅を調整、あるいは平行に２本の罫線を形成しそれら罫線どうしの間隔を調整することによって、上記谷折部や係止部３６、７１、８６から収納物に作用する圧迫力の調整や、収納物の第１パネル部３２、６２、８２に対する挿入や引き出しやすさなどを考慮した所望の保持力の調整を行える。また、上記罫線を、その延在方向に沿って部分的に破断する（例えば罫線の一部分に連続的なスリットを形成したり、あるいは罫線全体を破線と連続部との繰り返しで構成されるミシン目状とする）ことにより、谷折部の反発力を抑えることができ、収納物への圧迫力を低減できる。また、外ケース３は、収納物保持体２ａ〜２ｃのすべてに収納物が収納された状態でもそれらすべての収納物保持体２ａ〜２ｃを収納可能な内容積を有する扁平箱体からなる。この外ケース３内に収納される収納物保持体２ａの第１パネル部３２と、これが対向する外ケース３の上面パネル部６内面との間に間隙が確保できる。これにより、外ケース３に対する収納物保持体２ａの移動によって第１パネル部３２上に保持された収納物が外ケース３の上面パネル部６に擦れるのを防いで、収納物の損傷を防げる。同様に、収納物保持体２ａは扁平箱体からなり、この収納物保持体２ａ内に入れ込まれる内側の収納物保持体２ｂの第１パネル部６２と、これが対向する外側の収納物保持体２ａの第３パネル部３４内面との間には、ディスク状記録媒体２０の厚さよりも大きな間隙が確保される。これにより、収納物保持体２ａに対する収納物保持体２ｂの摺動によって第１パネル部６２上に保持されたディスク状記録媒体２０が収納物保持体２ａの第３パネル部３４に擦れるのを防いで、収納物の損傷を防げる。また、収納物保持体２ｂに保持されたディスク状記録媒体２０に収納物保持体２ａから圧迫力も作用しない。同様に、収納物保持体２ｂは扁平箱状に形成され、この収納物保持体２ｂ内に入れ込まれる内側の収納物保持体２ｃの第１パネル部８２と、これが対向する外側の収納物保持体２ｂの第２パネル部６３内面との間には、ディスク状記録媒体２０の厚さよりも大きな間隙が確保さ���る。これにより、収納物保持体２ｂに対する収納物保持体２ｃの移動によって第１パネル部８２上に保持されたディスク状記録媒体２０が収納物保持体２ｂの第２パネル部６３に擦れるのを防いで、収納物の損傷を防げる。また、収納物保持体２ｃに保持されたディスク状記録媒体２０に収納物保持体２ｂから圧迫力も作用しない。また、収納物保持体２ａにおいて、第１パネル部３２とこれが重ね合わされた第３パネル部３４との間の領域も、収納物保持領域として利用できる。例えば、第１パネル部３２に保持されたディスク状記録媒体の解説書や歌詞カードなどの小冊子を、第１パネル部３２と第３パネル部３４との間に挟み込んで保持できる。この場合、第１パネル部３２と第３パネル部３４との間の谷折部が、その小冊子の落ち込みを防ぐ底部として機能する。同様に、収納物保持体２ｂにおいて、第１パネル部６２とこれが重ね合わされた第２パネル部６３との間の領域も、収納物保持領域として利用できる。例えば、第１パネル部６２に保持されたディスク状記録媒体の解説書や歌詞カードなどの小冊子を、第１パネル部６２と第２パネル部６３との間に挟み込んで保持できる。この場合、第１パネル部６２と第２パネル部６３との間の谷折部が、その小冊子の落ち込みを防ぐ底部として機能する。収納物保持体２ｃにおいて、第１パネル部８２とこれが重ね合わされた第２パネル部８３との間の領域も、収納物保持領域として利用できる。例えば、第１パネル部８２に保持されたディスク状記録媒体の解説書や歌詞カードなどの小冊子を、第１パネル部８２と第２パネル部８３との間に挟み込んで保持できる。この場合、第１パネル部８２と第２パネル部８３との間の谷折部が、その小冊子の落ち込みを防ぐ底部として機能する。収納物保持体２ｃを収納物保持体２ｂ内に収納し、その収納物保持体２ｂを収納物保持体２ａ内に収納した第２図の状態で、収納物保持体２ａを外ケース３内に収納すれば、全ての収納物保持体２ａ〜２ｃが、保持している収納物ごと外ケース３内に収納される。その状態で、最下段の収納物保持体２ｃに形成された蓋部８７、８４を、上段側の収納物保持体２ａ、２ｂの開口を包み込むように、罫線９０、８９に沿って折り曲げ、蓋部８４の先端部を外ケース３の上面パネル部６と、内ケース２ａの第１パネル部３２との間の隙間に差し込めば、蓋部８７でもって外ケース３の挿入口４を閉鎖できる。これにより、挿入口４からの収納物の飛び出しや、挿入口４から外ケース３内への塵埃や水分の侵入を防ぐことができる。次に、外ケースからの収納物保持体の引き出しについて、説明する。外ケース３から収納物保持体２ａ〜２ｃを引き出すには、収納物保持体２ｃの第２パネル部８３に形成され、外ケース３の切欠き１３から外部に露出している指掛片３９（第４図参照）を少し押し込んで例えば人差し指を掛けると共に、外ケース３に形成された孔１４（第３図参照）から露出している蓋部８４に例えば親指を掛けて収納物保持体２ａ〜２ｃをつかんで外ケース３から引き出す。上記指掛片３９を外部に露出させるために、収納物保持体２ｃの第２パネル部８３に重ね合わされる収納物保持体２ｂの第４パネル部６５及び収納物保持体２ａの第２パネル部３３には、それぞれ切���き６９、３７が形成されている。完全にくり貫かれた開口とせず、内部に押し込み可能な指掛片３９としたことで内部へのゴミやほこりの侵入を防ぐことができる。外ケース３から引き出された収納物保持体２ａ〜２ｂにおいて、収納物保持体２ｂは収納物保持体２ａに摺動自在であり、収納物保持体２ｃは収納物保持体２ｂに摺動自在であるので、収納物保持体２ａから収納物保持体２ｂを引き出し、更に収納物保持体２ｂから収納物保持体２ｃを引き出すことで、第１図に示すように、各収納物保持体２ａ〜２ｃの第１パネル部３２、６２、８２を一度にまとめて外部に露出させることができる。この結果、各第１パネル部３２、６２、８２に保持された収納物を他と区別して認識でき、要求する収納物を他のものと迷うことなく選んで取り出すことができる。また、各収納物保持体２ａ〜２ｃの外ケース３からの引き出し方向、収納物保持体２ｂの収納物保持体２ａからの引き出し方向、及び収納物保持体２ｃの収納物保持体２ｂからの引き出し方向は全て一致した方向であるので、使用者は直線的な一度の引き出し動作でもって、各第１パネル部３２、６２、８２を外部に露出させることができる。これにより、引き出し方向に迷うことなく全ての第１パネル部３２、６２、８２を迅速に外部に露出させることができる。また、このように収納物保持体２ａ〜２ｃが略同一の方向に往復移動される構成とすることで、各収納物保持体２ａ〜２ｃの収納物保持領域を個別に外ケース３の外部に露見させることができる。例えば、第２図は、収納物保持体２ａの収納物保持領域のみが外ケース３の外部に露見された状態を示す。もちろん、収納物保持体２ｂの収納物保持領域のみ、あるいは収納物保持体２ｃの収納物保持領域のみを個別に外ケース３の外部に露見させることもできる。あるいは、収納物保持体２ａ及び収納物保持体２ｂのみを、あるいは収納物保持体２ａ及び収納物保持体２ｃのみを、あるいは収納物保持体２ｂ及び収納物保持体２ｃのみを外ケース３の外部に露見させることも可能である。以上のことにより、すべての収納物保持体２ａ〜２ｃを外ケース３から引き出して展開する場合に比べ、展開スペースを小さくできる。外ケース３、収納物保持体２ａ〜２ｂのそれぞれの係止部１０、３５、６６は全て上記引き出し方向の反対方向に折り返されている。収納物保持体２ａ〜２ｃのそれぞれの係止部３６、７１、８６は全て上記引き出し方向に折り返されている。したがって、上記各収納物保持体２ａ〜２ｃの引き出しの際に、外ケース３の係止部１０に収納物保持体２ａの係止部３６が引っかかり、収納物保持体２ａの係止部３５に収納物保持体２ｂの係止部７１が引っかかり、収納物保持体２ｂの係止部６６に収納物保持体２ｃの係止部８３が引っかかる。これにより、外ケース３と収納物保持体２ａとの分離、収納物保持体２ａと収納物保持体２ｂとの分離、及び収納物保持体２ｂと収納物保持体２ｃとの分離を防げる。すなわち、外ケース３及び収納物保持体２ａ〜２ｃを１ピースの製品として取り扱うことができ、各外ケース３、収納物保持体２ａ〜２ｃの脱落を防いで破損や紛失を防止することができる。なお、収納物保持体２ａが外ケース３に引っかかってその引き出しが規制された状態���は、第２図に示すように、収納物保持領域の大部分は外部に露出され、例えば収納物がディスク状記録媒体２０の場合には、その中央孔２０ａが外部に露出されるので、その中央孔２０ａと円弧状の外縁の一部に指をかけてディスク状記録媒体２０の記録面に触れることなく取り出すことができる。他の収納物保持体２ｂ、２ｃについても同様なことが言える。また、収納物保持体２ｂの係止部６６と収納物保持体２ｃの係止部８６との引っかかりは、例えば収納物保持体２ｃを手でつかんで引き出した場合において、その収納物保持体２ｃに牽引されて収納物保持体２ｂが収納物保持体２ａから引き出される作用ももたらす。同様に、収納物保持体２ａの係止部３５と収納物保持体２ｂの係止部７１との引っかかりは、収納物保持体２ｂに牽引されて収納物保持体２ａが外ケース３から引き出される作用ももたらす。上述した各係止部は折返片に限らず、相互に引っかかり合うことができる構成であればよく、例えば鉤状の部材を設けてもよい。また、各収納物保持体２ａ〜２ｃには、外ケース３内に収納された状態で挿入口４に臨む縁部にタブ４０、７０、８５が設けられているので、そのタブ４０、７０、８５を利用して各収納物保持体２ａ〜２ｃを選択的に引き出すことも可能である。第２図には、収納物保持体２ａの収納物保持領域のみが外部に露出された状態を示す。収納物保持体２ｂ及び２ｃは収納物保持体２ａに重ね合わされてそれぞれの収納物保持領域は外部に露出されていない。各タブ４０、７０、８５は、収納物保持体２ａ〜２ｃが重ね合わされて外ケース３内に納められた状態で、互いに重ならないように平面方向に関して位置がずらされ、且つ、収納物保持体２ａ〜２ｃから引き出し方向にはみ出すように突出しているので、各タブ４０、７０、８５に、対応する収納物に関する情報を表示しておけば、使用者はタブの表示を見て取り出したい収納物を保持した収納物保持体のみを選択的に取り出すことができる。また、各収納物保持体２ａ〜２ｃの引き出し時にタブ４０、７０、８５を指でつまむことで各収納物保持体２ａ〜２ｃの選択引き出しを容易に行える。最下段の収納物保持体２ｃにおいてはこれに設けられた蓋部８４をつまんで引き出すことも可能である。最下段の収納物保持体２ｃが引き出されれば、これに牽引されて中間段の収納物保持体２ｂの引き出しが可能であり、さらにこれに牽引されて最上段の収納物保持体２ａの引き出しが可能である。以上、本発明の実施形態について説明したが、勿論、本発明はこれに限定されることなく、本発明の技術的思想に基づいて種々の変形が可能である。収納物保持体の相対移動の方向は一致させることに限らず、第１４図に示すような収納物保持体９５を設けてもよい。すなわち、収納物保持体２ａは外ケース３に対して出し入れされる方向に移動自在であり、収納物保持体９４は収納物保持体２ａと同じ方向に、収納物保持体２ａに対して出し入れ自在であり、収納物保持体９５は収納物保持体２ａ及び９４の移動方向に直交する方向に移動自在である。収納物保持体９５は扁平箱体からなり、収納物保持体９４の一側部に形成された開口９６を介して収納物保持体９４に対して出し入れされる。一点鎖線で示すように、反対側の側部から���出し入れ可能にしてもよい。また、挿入口４を閉鎖する蓋部は収納物保持体に設けることに限らず、第１５図に示すように、蓋部９９、１００を外ケース３’に設けてもよい。収納物保持体上での収納物の位置ずれを規制する規制部としては、第１６図に示すように、収納物保持体６０の一面に突設した規制部６０ａであってもよい。規制部６０ａは、収納物であるディスク状記録媒体２０の中央孔２０ａが嵌合可能な円柱状を呈し、ディスク状記録媒体２０はその中央孔２０ａを規制部６０ａに嵌合させて、収納物保持体６０に対して固定されて保持される。あるいは、収納物保持体として浅皿状のトレーを用いて、その内周壁部にてディスク状記録媒体の面方向の動き規制するようにしてもよい。各収納物保持体２ａ〜２ｃにおいて、少なくとも収納物が接触する部分に例えば不織布や、その他収納物との接触摩擦を低減させる材料を被覆してもよい。また、上記実施形態では、係止部３６、７１、８６を、収納物の位置ずれを規制する規制部としての役割と、係止部１０、３５、６６に対する係合部としての２つの役割を兼用させたが、規制部としてだけ機能させ、係合用の係止部を別途設けてもよい。また、各収納物保持体には、ディスク状記録媒体に限らず、磁気カード、ＩＣカード、小冊子、板状チョコレート等薄型の菓子類など、その他の収納物も保持できる。また、収納物保持体の個数は上記実施形態に示す数に限らず、２つあるいは４つ以上であってもよい。
【図１】
0004653081.tif 000002
【図２】
0004653081.tif 000003
【図３】
0004653081.tif 000004
【図４】
0004653081.tif 000005
【図５】
0004653081.tif 000006
【図６】
0004653081.tif 000007
【図７】
0004653081.tif 000008
【図８】
0004653081.tif 000009
【図９】
0004653081.tif 000010
【図１０】
0004653081.tif 000011
【図１１】
0004653081.tif 000012
【図１２】
0004653081.tif 000013
【図１３】
0004653081.tif 000014
【図１４】
0004653081.tif 000015
【図１５】
0004653081.tif 000016
【図１６】
0004653081.tif 000017